(57)【要約】  本発明は高速パケットデータ(HRPD)システムに基づくアイドルハンドオフ端末及び方法を提供し、該方法は、端末がHRPDシステムから非HRPD無線アクセス技術システムにハンドオフする時、端末のHRPDプロトコルスタックが非トンネル状態からトンネル状態に遷移することを含む。本発明の技術方案を採用して、端末がハンドオフエリアにあり、HRPDシステムから非HRPD無線アクセス技術システムへのアイドルハンドオフを行う時、ハンドオフした端末をトンネル状態に置かせ、且つ端末のHRPDのセッション情報を保留する。このように、端末が再びHRPDシステムにハンドオフする時、新たにHRPDセッションネゴシエーションを行う必要がないため、効果的にエアインターフェースリソースとシステム処理能力との浪費を避け、HRPDシステムがその他の無線アクセス技術システムとの相互接続・相互通信の効率を向上させる。【選択図】図１０
2013503519.tif 000002
【特許請求の範囲】
【請求項１】
高速パケットデータ(HRPD)システムに基づくアイドルハンドオフ方法であって、端末がHRPDシステムから非HRPD無線アクセス技術システムにハンドオフする時、前記端末のHRPDプロトコルスタックが非トンネル状態からトンネル状態に遷移することを含む高速パケットデータ(HRPD)システムに基づくアイドルハンドオフ方法。
【請求項２】
前記HRPDプロトコルスタックは無線アクセス技術間のアイドル状態プロトコルモジュール及び無線アクセス技術間のルーティングアップデートプロトコルモジュールのうちの1種又は多種を含む請求項1に記載の方法。
【請求項３】
前記HRPDプロトコルスタックが非トンネル状態からトンネル状態に遷移することは、
前記HRPDプロトコルスタックが無線アクセス技術間のアイドル状態プロトコルモジュールを含む時、前記無線アクセス技術間のアイドル状態プロトコルモジュールがモニタリング状態又はスリープ状態からトンネル状態に遷移し、
前記HRPDプロトコルスタックが無線アクセス技術間のルーティングアップデートプロトコルモジュールを含む時、前記無線アクセス技術間のルーティングアップデートプロトコルモジュールがアイドル状態からトンネル状態に遷移することである請求項2に記載の方法。
【請求項４】
前記HRPDプロトコルスタックは無線アクセス技術間のオーバーヘッド・メッセージプロトコルモジュールを含み、
前記HRPDプロトコルスタックが非トンネル状態からトンネル状態に遷移することは、前記HRPDプロトコルスタックが前記無線アクセス技術間のオーバーヘッド・メッセージプロトコルモジュールを含む時、前記無線アクセス技術間のオーバーヘッド・メッセージプロトコルモジュールがアクティブ状態又は非アクティブ状態からトンネルアクティブ状態に遷移することである請求項1又は3に記載の方法。
【請求項５】
前記端末はHRPDセッション情報を保留することをさらに含む請求項1に記載の方法。
【請求項６】
前記端末はアクセスネットワークにセッション保持アクティブメッセージを送信し、且つローカルでタイマーを設置し、前記端末が前記セッション保持アクティブメッセージを送信する時、タイマーを起動し、
設定時間になってもアクセスネットワークの返す応答メッセージを受信していないと、HPRDセッション情報をクリアし、且つ前記HRPDプロトコルスタックを初期化することをさらに含む請求項1に記載の方法。
【請求項７】
前記HRPDプロトコルスタックは制御チャンネル媒体アクセス制御プロトコルモジュールをさらに含み、
前記HRPDプロトコルスタックが無線アクセス技術間のアイドル状態プロトコルモジュールを含む時、前記無線アクセス技術間のアイドル状態プロトコルモジュールがトンネル状態に遷移した後、前記方法は、
制御チャンネル媒体アクセス制御プロトコルモジュールに非アクティブ命令を送信し、
前記制御チャンネル媒体アクセス制御プロトコルモジュールが前記非アクティブ命令を受信した後、アクティブ状態から非アクティブ状態に遷移することをさらに含む請求項2に記載の方法。
【請求項８】
前記HRPDプロトコルスタックはアクセスチャンネル媒体アクセス制御プロトコルモジュールをさらに含み、
前記HRPDプロトコルスタックが無線アクセス技術間のルーティングアップデートプロトコルモジュールを含む時、前記無線アクセス技術間のルーティングアップデートプロトコルモジュールがトンネル状態に遷移した後、前記方法は、
アクセスチャンネル媒体アクセスプロトコル制御モジュールに非アクティブ命令を送信し、
前記アクセスチャンネル媒体アクセス制御プロトコルモジュールが前記非アクティブ命令を受信した後、アクティブ状態から非アクティブ状態に遷移することをさらに含む請求項2に記載の方法。
【請求項９】
前記端末は、トンネルイネーブルパラメータをトンネルを使用する状態として設置し、オーバーヘッドパラメータ更新標識を更新無しの状態として設置することをさらに含む請求項1に記載の方法。
【請求項１０】
端末はすべての隣接情報を除去し、且つ隣接セット検索ウィンドウパラメータ更新操作を実行し、プロパティオーバーライドメッセージに指定されるパラメータの使用を停止し、且つ同様なチャンネルパラメータセット管理プロパティ又は異なるチャンネルパラメータセット管理プロパティに指定されるパラメータ値を使用し始めることをさらに含む請求項1に記載の方法。
【請求項１１】
前記HRPDプロトコルスタックは、制御チャンネル媒体アクセス制御プロトコルモジュール及びオーバーヘッド・メッセージプロトコルモジュールをさらに含み、
前記無線アクセス技術間のアイドル状態プロトコルモジュールがトンネル状態に遷移した後、前記方法は、
制御チャンネル媒体アクセス制御プロトコルモジュールに非アクティブ命令を送信し、オーバーヘッド・メッセージプロトコルモジュールにトンネルアクティブ命令を送信し、
前記制御チャンネル媒体アクセス制御プロトコルモジュールが非アクティブ命令を受信した後、アクティブ状態から非アクティブ状態に遷移し、及び
前記オーバーヘッド・メッセージプロトコルモジュールがトンネルアクティブ命令を受信した後、アクティブ状態からトンネル状態に遷移することをさらに含む請求項2に記載の方法。
【請求項１２】
高速パケットデータ(HRPD)システムに基づくアイドルハンドオフ端末であって、制御モジュール及びHRPDプロトコルスタックを含み、
前記制御モジュールは、端末がHRPDシステムから非HRPD無線アクセス技術システムにハンドオフする時、前記HRPDプロトコルスタックにアイドルハンドオフ指令を送信するように設置され、
前記HRPDプロトコルスタックは、前記アイドルハンドオフ指令を受信した後、非トンネル状態からトンネル状態に遷移するように設置される高速パケットデータ(HRPD)システムに基づくアイドルハンドオフ端末。
【請求項１３】
前記HRPDプロトコルスタックは、無線アクセス技術間のアイドル状態プロトコルモジュール及び無線アクセス技術間のルーティングアップデートプロトコルモジュールのうちの1種又は多種を含む請求項12に記載の端末。
【請求項１４】
前記HRPDプロトコルスタックが無線アクセス技術間のアイドル状態プロトコルモジュールを含む時、前記無線アクセス技術間のアイドル状態プロトコルモジュールは、前記アイドルハンドオフ指令を受信した後、モニタリング状態又はスリープ状態からトンネル状態に遷移するように設置され、
前記HRPDプロトコルスタックが無線アクセス技術間のルーティングアップデートプロトコルモジュールを含む時、前記無線アクセス技術間のルーティングアップデートプロトコルモジュールは、前記アイドルハンドオフ指令を受信した後、アイドル状態からトンネル状態に遷移するように設置される請求項13に記載の端末。
【請求項１５】
前記HRPDプロトコルスタックは無線アクセス技術間のオーバーヘッド・メッセージプロトコルモジュールをさらに含み、
前記無線アクセス技術間のオーバーヘッド・メッセージプロトコルモジュールは、前記アイドルハンドオフ指令を受信した後、アクティブ状態又は非アクティブ状態からトンネルアクティブ状態に遷移するように設置される請求項12又は14に記載の端末。
【請求項１６】
前記端末はHPRDセッション管理モジュールをさらに含み、
前記制御モジュールはさらに、前記HPRDセッション管理モジュールにアイドルハンドオフ指令を送信するように設置され、
前記HPRDセッション管理モジュールは、前記アイドルハンドオフ指令を受信した後、HPRDのセッション情報を保留するように設置される請求項12に記載の端末。
【請求項１７】
前記HPRDセッション管理モジュールはさらに、
アクセスネットワークにセッション保持アクティブメッセージを送信し、及びローカルでタイマーを設置し、前記セッション保持アクティブメッセージを送信する時、タイマーを起動し、
設定時間になってもアクセスネットワークの返す応答メッセージを受信していない時、HPRDセッション情報をクリアし、且つ前記HRPDプロトコルスタックを初期化するように設置される請求項16に記載の端末。
【請求項１８】
前記HRPDプロトコルスタックは制御チャンネル媒体アクセス制御プロトコルモジュールをさらに含み、
前記無線アクセス技術間のアイドル状態プロトコルモジュールはさらに、トンネル状態に遷移した後、制御チャンネル媒体アクセス制御プロトコルモジュールに非アクティブ命令を送信するように設置され、
前記制御チャンネル媒体アクセス制御プロトコルモジュールは、非アクティブ命令を受信した後、アクティブ状態から非アクティブ状態に遷移するように設置される請求項13に記載の端末。
【請求項１９】
前記HRPDプロトコルスタックはアクセスチャンネル媒体アクセス制御プロトコルモジュールをさらに含み、
前記無線アクセス技術間のルーティングアップデートプロトコルモジュールはさらに、トンネル状態に遷移した後、アクセスチャンネル媒体アクセスプロトコル制御モジュールに非アクティブ命令を送信するように設置され、
前記アクセスチャンネル媒体アクセス制御プロトコルモジュールは、非アクティブ命令を受信した後、アクティブ状態から非アクティブ状態に遷移するように設置される請求項13に記載の端末。
【請求項２０】
前記制御モジュールはさらに、トンネルイネーブルパラメータを、トンネルを使用する状態に設置され、
前記無線アクセス技術間のオーバーヘッド・メッセージプロトコルモジュールはさらに、オーバーヘッドパラメータ更新標識を更新無しの状態に設置される請求項15に記載の端末。
【請求項２１】
前記無線アクセス技術間のルーティングアップデートプロトコルモジュールはさらに、トンネル状態に遷移した後、すべての隣接情報を除去し、且つ隣接セット検索ウィンドウパラメータ更新操作を実行し、プロパティオーバーライドメッセージに指定されるパラメータの使用を停止し、且つ同様なチャンネルパラメータセット管理プロパティ又は異なるチャンネルパラメータセット管理プロパティに指定されるパラメータ値を使用し始めるように設置される請求項13に記載の端末。
【請求項２２】
前記HRPDプロトコルスタックは制御チャンネル媒体アクセス制御プロトコルモジュール及びオーバーヘッド・メッセージプロトコルモジュールをさらに含み、
前記無線アクセス技術間のアイドル状態プロトコルモジュールはさらに、トンネル状態に遷移した後、制御チャンネル媒体アクセス制御プロトコルモジュールに非アクティブ命令を送信し、オーバーヘッド・メッセージプロトコルモジュールにトンネルアクティブ命令を送信するように設置され、
前記制御チャンネル媒体アクセス制御プロトコルモジュールは、非アクティブ命令を受信した後、アクティブ状態から非アクティブ状態に遷移するように設置され、
前記オーバーヘッド・メッセージプロトコルモジュールは、トンネルアクティブ命令を受信した後、アクティブ状態からトンネル状態に遷移するように設置される請求項14に記載の端末。
【発明の詳細な説明】
【技術分野】
【０００１】
本発明は通信分野に関し、特に高速パケットデータ(High Rate Packet Data，HRPDと略称する)システムに基づくアイドルハンドオフ端末及び方法に関する。
【背景技術】
【０００２】
符号分割多元接続(Code Division Multiple Access，CDMA)ネットワークの次のエボリューションにおいて、ロング・ターム・エボリューションシステム(Long Term Evolution，LTE)ネットワークとの相互運用はネットワーク発展の傾向である。既に商用化されたCDMAネットワークがLTEネットワークまでエボリューションするのは、簡単な取替過程でなく、相当に長い共存期があるのである。この共存期において、2種の無線ネットワークの相互接続・相互通信が不可欠である。
【０００３】
高速パケットデータ(High Rate Packet Data，HRPD)-LTE相互運用に対する需要の1つはHRPDからLTEへのアクセス端末のアイドルハンドオフをサポートすることであり、HRPDとLTEシステムとの間の相互運用をサポートするために、HRPDシステムにおいて一連のプロトコル処理を定義したが、従来の実現において、アクセス端末をHPRDからLTEへアイドルハンドオフする際の具体的な操作を明確にしていなく、これらのプロトコル処理モジュールが正常に作動できなく、且つ効果的にHRPDとLTEとの相互運用をサポートできないことを引き起こす恐れがある。
【発明の概要】
【発明が解決しようとする課題】
【０００４】
本発明が解決しようと技術問題は、HRPDシステムに基づくアイドルハンドオフ端末及び方法を提供することにあり、アイドル状態にある端末をハンドオフした後、トンネル状態にさせることができ、HRPDシステムの信号をモニタリングしなく、且つ端末のHRPDのセッション情報を保留でき、エアインターフェースリソースとシステム処理能力との浪費を効果的に避ける。
【課題を解決するための手段】
【０００５】
上記問題を解決するために、本発明は高速パケットデータ(HRPD)システムに基づくアイドルハンドオフ方法を提供し、端末がHRPDシステムから非HRPD無線アクセス技術システムにハンドオフする際に、前記端末のHRPDプロトコルスタックが非トンネル状態からトンネル状態に遷移することを含む。
【０００６】
前記HRPDプロトコルスタックは無線アクセス技術間のアイドル状態プロトコルモジュール及び無線アクセス技術間のルーティングアップデートプロトコルモジュールのうちの1種又は多種を含む。
【０００７】
前記HRPDプロトコルスタックが非トンネル状態からトンネル状態に遷移するのは、
前記HRPDプロトコルスタックが無線アクセス技術間のアイドル状態プロトコルモジュールを含む時、前記無線アクセス技術間のアイドル状態プロトコルモジュールがモニタリング状態又はスリープ状態からトンネル状態に遷移し、
前記HRPDプロトコルスタックが無線アクセス技術間のルーティングアップデートプロトコルモジュールを含む時、前記無線アクセス技術間のルーティングアップデートプロトコルモジュールがアイドル状態からトンネル状態に遷移するのである。
【０００８】
前記HRPDプロトコルスタックは無線アクセス技術間のオーバーヘッド・メッセージプロトコルモジュールを含み、
前記HRPDプロトコルスタックが非トンネル状態からトンネル状態に遷移するのは、前記HRPDプロトコルスタックが前記無線アクセス技術間のオーバーヘッド・メッセージプロトコルモジュールを含む時、前記無線アクセス技術間のオーバーヘッド・メッセージプロトコルモジュールがアクティブ状態又は非アクティブ状態からトンネルアクティブ状態に遷移することである。
【０００９】
前記端末はHRPDのセッション情報を保留する。
【００１０】
前記端末はアクセスネットワークにセッション保持アクティブメッセージを送信し、且つローカルでタイマーを設置し、前記端末が前記セッション保持アクティブメッセージを送信する時、タイマーを起動し、
設定時間になってもアクセスネットワークの返す応答メッセージを受信していない時、HPRDセッション情報をクリアし、且つ前記HRPDプロトコルスタックを初期化する。
【００１１】
前記HRPDプロトコルスタックは制御チャンネル媒体アクセス制御プロトコルモジュールをさらに含み、
前記HRPDプロトコルスタックが無線アクセス技術間のアイドル状態プロトコルモジュールを含む時、前記無線アクセス技術間のアイドル状態プロトコルモジュールがトンネル状態に遷移した後、前記方法は、
制御チャンネル媒体アクセス制御プロトコルモジュールに非アクティブ命令を送信し、
前記制御チャンネル媒体アクセス制御プロトコルモジュールが前記非アクティブ命令を受信した後、アクティブ状態から非アクティブ状態に遷移することをさらに含む。
【００１２】
前記HRPDプロトコルスタックはアクセスチャンネル媒体アクセス制御プロトコルモジュールをさらに含み、
前記HRPDプロトコルスタックが無線アクセス技術間のルーティングアップデートプロトコルモジュールを含む時、前記無線アクセス技術間のルーティングアップデートプロトコルモジュールがトンネル状態に遷移した後、前記方法は、
アクセスチャンネル媒体アクセスプロトコル制御モジュールに非アクティブ命令を送信し、
前記アクセスチャンネル媒体アクセス制御プロトコルモジュールが前記非アクティブ命令を受信した後、アクティブ状態から非アクティブ状態に遷移することをさらに含む。
【００１３】
前記端末は、トンネルイネーブルパラメータをトンネルを使用する状態とし、オーバーヘッドパラメータ更新標識を更新無しの状態とする。
【００１４】
端末はすべての隣接情報を除去し、且つ隣接セット検索ウィンドウパラメータ更新操作を実行し、プロパティオーバーライドメッセージに指定されるパラメータの使用を停止し、且つ同様なチャンネルパラメータセット管理プロパティ又は異なるチャンネルパラメータセット管理プロパティに指定されるパラメータ値を使用し始める。
【００１５】
前記HRPDプロトコルスタックは、制御チャンネル媒体アクセス制御プロトコルモジュール及びオーバーヘッド・メッセージプロトコルモジュールをさらに含み、
前記無線アクセス技術間のアイドル状態プロトコルモジュールがトンネル状態に遷移することに用いられた後、前記方法は、
制御チャンネル媒体アクセス制御プロトコルモジュールに非アクティブ命令を送信し、オーバーヘッド・メッセージプロトコルモジュールにトンネルアクティブ命令を送信し、
前記制御チャンネル媒体アクセス制御プロトコルモジュールが非アクティブ命令を受信した後、アクティブ状態から非アクティブ状態に遷移し、及び
前記オーバーヘッド・メッセージプロトコルモジュールがトンネルアクティブ命令を受信した後、アクティブ状態からトンネル状態に遷移することをさらに含む。
【００１６】
本発明は、制御モジュール及びHRPDプロトコルスタックを含む、高速パケットデータ(HRPD)システムに基づくアイドルハンドオフ端末を提供し、
前記制御モジュールは、端末がHRPDシステムから非HRPD無線アクセス技術システムにハンドオフする時、前記HRPDプロトコルスタックにアイドルハンドオフ指令を送信するように設置され、
前記HRPDプロトコルスタックは、前記アイドルハンドオフ指令を受信した後、非トンネル状態からトンネル状態に遷移するように設置される。
【００１７】
前記HRPDプロトコルスタックは、無線アクセス技術間のアイドル状態プロトコルモジュール及び無線アクセス技術間のルーティングアップデートプロトコルモジュールのうちの1種又は多種を含む。
【００１８】
前記HRPDプロトコルスタックが無線アクセス技術間のアイドル状態プロトコルモジュールを含む時、前記無線アクセス技術間のアイドル状態プロトコルモジュールは、前記アイドルハンドオフ指令を受信した後、モニタリング状態又はスリープ状態からトンネル状態に遷移するように設置され、
前記HRPDプロトコルスタックが無線アクセス技術間のルーティングアップデートプロトコルモジュールを含む時、前記無線アクセス技術間のルーティングアップデートプロトコルモジュールは、前記アイドルハンドオフ指令を受信した後、アイドル状態からトンネル状態に遷移するように設置される。
【００１９】
前記HRPDプロトコルスタックは無線アクセス技術間のオーバーヘッド・メッセージプロトコルモジュールをさらに含み、
前記無線アクセス技術間のオーバーヘッド・メッセージプロトコルモジュールは、前記アイドルハンドオフ指令を受信した後、アクティブ状態又は非アクティブ状態からトンネルアクティブ状態に遷移するように設置される。
【００２０】
前記端末はHPRDセッション管理モジュールをさらに含み、
前記制御モジュールはさらに、前記HPRDセッション管理モジュールにアイドルハンドオフ指令を送信するように設置され、
前記HPRDセッション管理モジュールは、前記アイドルハンドオフ指令を受信した後、HPRDのセッション情報を保留するように設置される。
【００２１】
前記HPRDセッション管理モジュールはさらに、
アクセスネットワークにセッション保持アクティブメッセージを送信し、及びローカルでタイマーを設置し、前記セッション保持アクティブメッセージを送信する時、タイマーを起動し、
設定時間になってもアクセスネットワークの返す応答メッセージを受信していない時、HPRDセッション情報をクリアし、且つ前記HRPDプロトコルスタックを初期化するように設置される。
【００２２】
前記HRPDプロトコルスタックは制御チャンネル媒体アクセス制御プロトコルモジュールをさらに含み、
前記無線アクセス技術間のアイドル状態プロトコルモジュールはさらに、トンネル状態に遷移した後、制御チャンネル媒体アクセス制御プロトコルモジュールに非アクティブ命令を送信するように設置され、
前記制御チャンネル媒体アクセス制御プロトコルモジュールは、非アクティブ命令を受信した後、アクティブ状態から非アクティブ状態に遷移するように設置される。
【００２３】
前記HRPDプロトコルスタックはアクセスチャンネル媒体アクセス制御プロトコルモジュールをさらに含み、
前記無線アクセス技術間のルーティングアップデートプロトコルモジュールはさらに、トンネル状態に遷移した後、アクセスチャンネル媒体アクセスプロトコル制御モジュールに非アクティブ命令を送信するように設置され、
前記アクセスチャンネル媒体アクセス制御プロトコルモジュールは、非アクティブ命令を受信した後、アクティブ状態から非アクティブ状態に遷移するように設置される。
【００２４】
前記制御モジュールはさらに、トンネルイネーブルパラメータをトンネルを使用する状態に設置され、
前記無線アクセス技術間のオーバーヘッド・メッセージプロトコルモジュールはさらに、オーバーヘッドパラメータ更新標識を更新無しの状態に設置される。
【００２５】
前記無線アクセス技術間のルーティングアップデートプロトコルモジュールはさらに、トンネル状態に遷移した後、すべての隣接情報を除去し、且つ隣接セット検索ウィンドウパラメータ更新操作を実行し、プロパティオーバーライドメッセージに指定されるパラメータの使用を停止し、且つ同様なチャンネルパラメータセット管理プロパティ又は異なるチャンネルパラメータセット管理プロパティに指定されるパラメータ値を使用し始めるように設置される。
【００２６】
前記HRPDプロトコルスタックは制御チャンネル媒体アクセス制御プロトコルモジュール及びオーバーヘッド・メッセージプロトコルモジュールをさらに含み、
前記無線アクセス技術間のアイドル状態プロトコルモジュールはさらに、トンネル状態に遷移した後、制御チャンネル媒体アクセス制御プロトコルモジュールに非アクティブ命令を送信し、オーバーヘッド・メッセージプロトコルモジュールにトンネルアクティブ命令を送信するように設置され、
前記制御チャンネル媒体アクセス制御プロトコルモジュールは、非アクティブ命令を受信した後、アクティブ状態から非アクティブ状態に遷移するように設置され、
前記オーバーヘッド・メッセージプロトコルモジュールは、トンネルアクティブ命令を受信した後、アクティブ状態からトンネル状態に遷移するように設置される。
【００２７】
要するに、本発明はHRPDシステムに基づくアイドルハンドオフ端末及び方法を提供し、端末がハンドオフエリアにあり、HRPDシステムから非HRPD無線アクセス技術システム(例えば、LTEシステム)へのアイドルハンドオフを行う時、ハンドオフした端末をトンネル状態に置かせ、且つ端末のHRPDのセッション情報を保留でき、このようにして、端末が再びHRPDシステムにハンドオフする時、改めてHRPDセッション交渉を行う必要がなくなり、効果的エアインターフェースリソースとシステム処理能力との浪費を避け、HRPDシステムとLTEシステム又は他の無線アクセス技術を採用するシステムとの相互接続・相互通信の効率を向上させる。
【００２８】
ここで説明した図面は、本発明に対する更なる理解を提供することに用いられ、本願の一部分を構成し、本発明の模式的実施例及びその説明は、本発明を解釈することに用いられるが、本発明を不適当に限定するためのものではない。
【図面の簡単な説明】
【００２９】
【図１】本発明の一実施例の端末の構成模式図
【図２】本発明の一実施例の端末がHRPDシステムから非HRPD無線アクセス技術システムにハンドオフする時の方法フローチャート図
【図３】本発明の一実施例におけるHRPDシステムのアクセス端末の無線アクセス技術間のアイドル状態プロトコルモジュールに基づく処理フローチャート図
【図４】本発明の一実施例におけるHRPDシステムのアクセス端末の無線アクセス技術間のルーティングアップデートプロトコルモジュールに基づく状態遷移図
【図５】本発明の一実施例におけるHRPDシステムのアクセス端末の無線アクセス技術間のオーバーヘッド・メッセージプロトコルモジュールに基づく状態遷移図
【図６】本発明の一実施例におけるHRPDシステムのアクセス端末のHPRDセッション管理モジュールに基づく処理フローチャート図
【図７】本発明の別の一実施例の端末の構成模式図
【図８】本発明の別の一実施例の端末がHRPDシステムから非HRPD無線アクセス技術システムにハンドオフする時の方法フローチャート図
【図９】本発明の別の一実施例のHRPDシステムのアクセス端末の無線アクセス技術間のアイドル状態プロトコルモジュールに基づく処理フローチャート図
【図１０】本発明の別の一実施例のHRPDシステムのアクセス端末の無線アクセス技術間のルーティングアップデートプロトコルモジュールに基づく状態遷移図
【発明を実施するための形態】
【００３０】
従来技術において、HRPD-LTEのハンドオフ時、例えば、アクセス端末のHRPDセッション情報及びプロトコルスタックをどのように維持すべきであるか、アクセス端末がアイドルハンドオフした後、そのHRPDプロトコルスタックが直接に初期化してネットワーク再選択に入ると、HRPDセッション情報の無くなることを引き起こす問題は発生する。端末がHRPD-LTEアイドルハンドオフする時、端末がハンドオフすエリアにあることを表し、端末は再びHRPDエリアに返る可能性があり、しかしながら、HRPD-LTEアイドルハンドオフした後、プロトコルスタックを直接に初期化し、HRPDセッション情報を保留していないと、端末がLTE-HRPDアイドルハンドオフを実行する時、改めてHRPDセッション交渉を行わなければならなく、それによって、エアインターフェースリソースとシステム処理能力とを消費し、ハンドオフす効率が低いことを引き起こす。そこで、相応のメカニズムを定義して端末の処理を保証し、相互接続・相互通信操作の効率を向上させる必要は切実である。
【００３１】
本発明はHRPDシステムに基づくアイドルハンドオフ端末及び方法を提供し、アイドル状態にある端末がHRPDシステムから無線アクセス技術システムにハンドオフする時、該端末のHRPDプロトコルスタックが非トンネル状態からトンネル状態に遷移する。
【００３２】
本実施例はHRPDシステムに基づくアイドルハンドオフ端末を提供し、図1の示すように、制御モジュール、HRPDプロトコルスタック及びHPRDセッション管理モジュールを含み、
HRPDプロトコルスタックは、無線アクセス技術間のアイドル状態プロトコルモジュール、無線アクセス技術間のルーティングアップデートプロトコルモジュール、無線アクセス技術間のオーバーヘッド・メッセージプロトコルモジュール、制御チャンネル媒体アクセス制御(MAC)プロトコルモジュール及びアクセスチャンネルMACプロトコルモジュールのうちの1種又は多種を含んでもよいが、それらには限らなく、
本発明において、無線アクセス技術間のアイドル状態プロトコルモジュールは無線アクセス技術間の相互運用をサポートするいずれのアイドル状態プロトコルモジュールでよく、無線アクセス技術間のルーティングアップデートプロトコルモジュールは無線アクセス技術間の相互運用をサポートするいずれのルーティングアップデートプロトコルモジュールでよく、無線アクセス技術間のオーバーヘッド・メッセージプロトコルモジュールは無線アクセス技術間の相互運用をサポートするいずれのオーバーヘッド・メッセージプロトコルモジュールでよい。
【００３３】
制御モジュールは、アイドル状態にある端末がHRPDシステムから非HRPD無線アクセス技術システムにハンドオフする必要のある時、HRPDプロトコルスタックにアイドルハンドオフ指令を送信することに用いられ、
HRPDプロトコルスタックは、アイドルハンドオフ指令を受信した後、非トンネル状態からトンネル状態に遷移することに用いられる。
【００３４】
HRPDプロトコルスタックが非トンネル状態からトンネル状態に遷移するとは、HRPDプロトコルスタックが無線アクセス技術間のアイドル状態プロトコルモジュールを含む時、無線アクセス技術間のアイドル状態プロトコルモジュールがモニタリング状態又はスリープ状態からトンネル状態に遷移し、HRPDプロトコルスタックが無線アクセス技術間のルーティングアップデートプロトコルモジュールを含む時、無線アクセス技術間のルーティングアップデートプロトコルモジュールがアイドル状態からトンネル状態に遷移し、HRPDプロトコルスタックが無線アクセス技術間のオーバーヘッド・メッセージプロトコルモジュールを含む時、無線アクセス技術間のオーバーヘッド・メッセージプロトコルモジュールがアクティブ状態又は非アクティブ状態からトンネルアクティブ状態に遷移することを意味する。
【００３５】
無線アクセス技術間のアイドル状態プロトコルモジュールはさらに、トンネル状態に遷移した後、制御チャンネルMACプロトコルモジュールに非アクティブ命令を送信することに用いられ、
制御チャンネルMACプロトコルモジュールは、非アクティブ命令を受信した後、アクティブ状態から非アクティブ状態に遷移することに用いられる。
【００３６】
無線アクセス技術間のルーティングアップデートプロトコルモジュールはさらに、トンネル状態に遷移した後、アクセスチャンネル媒体アクセスプロトコル制御モジュールに非アクティブ命令を送信することに用いられ、
アクセスチャンネルMACプロトコルモジュールは、非アクティブ命令を受信した後、アクティブ状態から非アクティブ状態に遷移することに用いられる。
【００３７】
無線アクセス技術間のオーバーヘッド・メッセージプロトコルモジュールはさらに、オーバーヘッドパラメータ更新標識を更新無しの状態とすることに用いられる。
【００３８】
制御モジュールはさらに、トンネルイネーブルパラメータをトンネルを使用する状態とすることに用いられる。
【００３９】
制御モジュールはさらに、HPRDセッション管理モジュールにアイドルハンドオフ指令を送信することに用いられる。
【００４０】
HPRDセッション管理モジュールは、アイドルハンドオフ指令を受信した後、HPRDのセッション情報を保留することに用いられる。
【００４１】
HPRDセッション管理モジュールはさらに、アクセスネットワークにセッション保持アクティブメッセージを送信し、及びローカルでタイマーを設置し、セッション保持アクティブメッセージを送信する時タイマーを起動することに用いられ、さらに、設定時間になってもアクセスネットワークの返す応答メッセージを受信していない時、HPRDセッション情報をクリアし、且つHRPDプロトコルスタックを初期化することに用いられる。
【００４２】
無線アクセス技術間のルーティングアップデートプロトコルモジュールはさらに、トンネル状態に遷移した後、トンネル状態の関連操作を実行することに用いられ、即ち、すべての隣接情報を除去し、且つ隣接セット検索ウィンドウパラメータ更新操作を実行し、プロパティオーバーライドメッセージに指定されるパラメータの使用を停止し、且つ同様なチャンネルパラメータセット管理プロパティ又は異なるチャンネルパラメータセット管理プロパティに指定されるパラメータ値を使用し始める。
【００４３】
本実施例はHRPDシステムに基づくアイドルハンドオフ方法を提供し、図2の示すように、以下のステップを含む。
【００４４】
ステップ201：アイドル状態にある端末がHRPDシステムから非HRPD無線アクセス技術システムにハンドオフする時、トンネルイネーブルパラメータをトンネルイネーブルの状態(例えば、トンネルイネーブルパラメータを1とする)とし、オーバーヘッドパラメータ更新標識を更新無しの状態(例えば、オーバーヘッドパラメータ更新標識を0とする)とし、該端末のHRPDプロトコルスタックは非トンネル状態からトンネル状態に遷移し、
HRPDプロトコルスタックは、無線アクセス技術間のアイドル状態プロトコルモジュール、無線アクセス技術間のルーティングアップデートプロトコルモジュール、無線アクセス技術間のオーバーヘッド・メッセージプロトコルモジュール、制御チャンネルMACプロトコルモジュール及びアクセスチャンネルMACプロトコルモジュールのうちの1種又は多種を含んでもよいが、それらには限らなく、
本発明において、無線アクセス技術間のアイドル状態プロトコルモジュールは無線アクセス技術間の相互運用をサポートするいずれのアイドル状態プロトコルモジュールを指し、無線アクセス技術間のルーティングアップデートプロトコルモジュールは、無線アクセス技術間の相互運用をサポートするいずれのルーティングアップデートプロトコルモジュールを指し、無線アクセス技術間のオーバーヘッド・メッセージプロトコルモジュールは無線アクセス技術間の相互運用をサポートするいずれのオーバーヘッド・メッセージプロトコルモジュールを指す。
【００４５】
HRPDプロトコルスタックが非トンネル状態からトンネル状態に遷移するとは、HRPDプロトコルスタックが無線アクセス技術間のアイドル状態プロトコルモジュールを含む時、該無線アクセス技術間のアイドル状態プロトコルモジュールがモニタリング状態又はスリープ状態からトンネル状態に遷移し、HRPDプロトコルスタックが無線アクセス技術間のルーティングアップデートプロトコルモジュールを含む時、該無線アクセス技術間のルーティングアップデートプロトコルモジュールがアイドル状態からトンネル状態に遷移し、HRPDプロトコルスタックが無線アクセス技術間のオーバーヘッド・メッセージプロトコルモジュールを含む時、該無線アクセス技術間のオーバーヘッド・メッセージプロトコルモジュールがアクティブ状態又は非アクティブ状態からトンネルアクティブ状態に遷移することを意味する。
【００４６】
図3の示すように、本発明端末の無線アクセス技術間のアイドル状態プロトコルモジュールに状態遷移が発生する模式図である。図4の示すように、本発明端末の無線アクセス技術間のルーティングアップデートプロトコルモジュールに状態遷移が発生する模式図である。図5の示すように、本発明端末の無線アクセス技術間のオーバーヘッド・メッセージプロトコルモジュールに状態遷移が発生する。
【００４７】
ステップ202：端末はHRPDのセッション情報を保留し、
さらに、端末はさらに、アクセスネットワークにセッション保持アクティブメッセージを送信し、且つローカルでタイマーを設置し、セッション保持アクティブメッセージを送信する時タイマーを起動し、設定時間になってもアクセスネットワークの返す応答メッセージを受信していない時、HPRDセッション情報をクリアし、且つプロトコルスタックを初期化することもできる。
【００４８】
図6の示すように、本発明端末のHPRDセッション管理モジュールはアクセスネットワークにHPRDセッション情報の保持を知らせるフローチャート図である。
【００４９】
ステップ203：端末はすべての隣接情報を除去し、且つ隣接セット検索ウィンドウパラメータ更新操作を実行し、プロパティオーバーライドメッセージに指定されるパラメータの使用を停止し、且つ同様なチャンネルパラメータセット管理プロパティ又は異なるチャンネルパラメータセット管理プロパティに指定されるパラメータ値を使用し始める。
【００５０】
ステップ204：無線アクセス技術間のアイドル状態プロトコルモジュールがトンネル状態に遷移した後、制御チャンネルMACプロトコルモジュールに非アクティブ命令を送信し、制御チャンネルMACプロトコルモジュールが非アクティブ命令を受信した後、アクティブ状態から非アクティブ状態に遷移する。
【００５１】
ステップ205：無線アクセス技術間のルーティングアップデートプロトコルモジュールがトンネル状態に遷移した後、アクセスチャンネル媒体アクセスプロトコル制御モジュールに非アクティブ命令を送信し、アクセスチャンネルMACプロトコルモジュールが非アクティブ命令を受信した後、アクティブ状態から非アクティブ状態に遷移する。
【００５２】
ステップ204とステップ205はステップ201の後で実行されてもよく、且つ、ステップ204とステップ205の実行順序は本発明に限定されてない。
【００５３】
本発明はHRPDシステムに基づくアイドルハンドオフ端末及び方法の別の一実施例をさらに提供し、本実施例において、アイドル状態にある端末がHRPDシステムから無線アクセス技術システムにハンドオフする時、該端末のHRPDプロトコルスタックは非トンネル状態からトンネル状態に遷移する。
【００５４】
本実施例はHRPDシステムに基づくアイドルハンドオフ端末を提供し、図7の示すように、制御モジュール、HRPDプロトコルスタック及びHPRDセッション管理モジュールを含む。
【００５５】
HRPDプロトコルスタックは、無線アクセス技術間(Inter-RAT)のアイドル状態プロトコルモジュール、無線アクセス技術間のルーティングアップデートプロトコルモジュール、制御チャンネル媒体アクセス制御(MAC)プロトコルモジュール及びオーバーヘッド・メッセージプロトコルモジュールのうちの1種又は多種を含んでもよいが、それらには限らなく、
制御モジュールは、アイドル状態にある端末がHRPDシステムから非HRPD無線アクセス技術システムにハンドオフする必要のある時、HRPDプロトコルスタックにアイドルハンドオフ指令を送信することに用いられ、
HRPDプロトコルスタックは、アイドルハンドオフ指令を受信した後、非トンネル状態からトンネル状態に遷移することに用いられる。
【００５６】
HRPDプロトコルスタックが非トンネル状態からトンネル状態に遷移するとは、HRPDプロトコルスタックが無線アクセス技術間のアイドル状態プロトコルモジュールを含む時、無線アクセス技術間のアイドル状態プロトコルモジュールがモニタリング状態からトンネル状態に遷移し、HRPDプロトコルスタックが無線アクセス技術間のルーティングアップデートプロトコルモジュールを含む時、無線アクセス技術間のルーティングアップデートプロトコルモジュールがアイドル状態からトンネル状態に遷移することを意味する。
【００５７】
無線アクセス技術間のアイドル状態プロトコルモジュールはさらに、トンネル状態に遷移した後、制御チャンネルMACプロトコルモジュール及びオーバーヘッド・メッセージプロトコルモジュールがアクティブ状態以外の状態に遷移することを指示することに用いられ、即ち、制御チャンネルMACプロトコルモジュールに非アクティブ命令を送信し、オーバーヘッド・メッセージプロトコルモジュールにトンネルアクティブ命令を送信し、
制御チャンネルMACプロトコルモジュールは、非アクティブ命令を受信した後、アクティブ状態から非アクティブ状態に遷移することに用いられ、
オーバーヘッド・メッセージプロトコルモジュールは、トンネルアクティブ命令を受信した後、アクティブ状態からトンネル状態に遷移することに用いられる。
【００５８】
制御モジュールはさらに、HPRDセッション管理モジュールにアイドルハンドオフ指令を送信することに用いられ、
HPRDセッション管理モジュールは、アイドルハンドオフ指令を受信した後、HPRDのセッション情報を保留することに用いられる。
【００５９】
HPRDセッション管理モジュールはさらに、アクセスネットワークにセッション保持アクティブメッセージを送信し、及びローカルでタイマーを設置し、セッション保持アクティブメッセージを送信する時タイマーを起動することに用いられ、さらに、設定時間になってもアクセスネットワークの返す応答メッセージを受信してないと、HPRDセッション情報をクリアし、且つHRPDプロトコルスタックを初期化することに用いられる。
【００６０】
無線アクセス技術間のルーティングアップデートプロトコルモジュールはさらに、トンネル状態に遷移した後、トンネル状態の関連操作を実行することに用いられ、即ち、すべての隣接情報を除去し、且つ隣接セット検索ウィンドウパラメータ更新操作を実行し、プロパティオーバーライドメッセージに指定されるパラメータの使用を停止し、且つ同様なチャンネルパラメータセット管理プロパティ又は異なるチャンネルパラメータセット管理プロパティに指定されるパラメータ値を使用し始める。
【００６１】
本実施例はHRPDシステムに基づくアイドルハンドオフ方法を提供し、図8の示すように、下記のステップを含む。
【００６２】
ステップ801：アイドル状態にある端末がHRPDシステムから非HRPD無線アクセス技術システムにハンドオフする必要のある時、該端末のHRPDプロトコルスタックは非トンネル状態からトンネル状態に遷移し、
HRPDプロトコルスタックは無線アクセス技術間のアイドル状態プロトコルモジュール、無線アクセス技術間のルーティングアップデートプロトコルモジュール、制御チャンネルMACプロトコルモジュール及びオーバーヘッド・メッセージプロトコルモジュールのうちの1種又は多種を含んでもよいが、それらには限らなく、
HRPDプロトコルスタックが非トンネル状態からトンネル状態に遷移するとは、HRPDプロトコルスタックが無線アクセス技術間のアイドル状態プロトコルモジュールを含む場合、無線アクセス技術間のアイドル状態プロトコルモジュールがモニタリング状態からトンネル状態に遷移し、HRPDプロトコルスタックが無線アクセス技術間のルーティングアップデートプロトコルモジュールを含む時、無線アクセス技術間のルーティングアップデートプロトコルモジュールがアイドル状態からトンネル状態に遷移することを意味する。
【００６３】
図9の示すように、本実施例における端末の無線アクセス技術間のアイドル状態プロトコルモジュールに状態遷移が発生する模式図である。
【００６４】
図10の示すように、本実施例における端末の無線アクセス技術間のルーティングアップデートプロトコルモジュールがアイドルハンドオフ指令を受信した後の状態遷移の模式図である。
【００６５】
ステップ802：端末はHRPDのセッション情報を保留し、
それ以上に、端末はさらに、アクセスネットワークにセッション保持アクティブメッセージを送信し、且つローカルでタイマーを設置し、セッション保持アクティブメッセージを送信する時タイマーを起動し、設定時間になってもアクセスネットワークの返す応答メッセージを受信していない時、HPRDセッション情報をクリアし、且つプロトコルスタックを初期化することもできる。
【００６６】
本実施例において、端末のHPRDセッション管理モジュールがアクセスネットワークにHPRDセッション情報の保持を知らせるプロセスは図6に類似する。
【００６７】
ステップ803：端末はすべての隣接情報を除去し、且つ隣接セット検索ウィンドウパラメータ更新操作を実行し、プロパティオーバーライドメッセージに指定されるパラメータの使用を停止し、且つ同様なチャンネルパラメータセット管理プロパティ又は異なるチャンネルパラメータセット管理プロパティに指定されるパラメータ値を使用し始める。
【００６８】
ステップ804：無線アクセス技術間のアイドル状態プロトコルモジュールは制御チャンネルMACプロトコルモジュール及びオーバーヘッド・メッセージプロトコルモジュールがアクティブ状態以外の状態に遷移することを指示する。
【００６９】
即ち、無線アクセス技術間のアイドル状態プロトコルモジュールが制御チャンネルMACプロトコルモジュールに非アクティブ命令を送信し、オーバーヘッド・メッセージプロトコルモジュールにトンネルアクティブ命令を送信し、制御チャンネルMACプロトコルモジュールが非アクティブ命令を受信した後、アクティブ状態から非アクティブ状態に遷移し、オーバーヘッド・メッセージプロトコルモジュールがトンネルアクティブ命令を受信した後、アクティブ状態からトンネル状態に遷移する。
【００７０】
無線アクセス技術間のアイドル状態プロトコルモジュールが制御チャンネルMACプロトコルモジュール及びオーバーヘッド・メッセージプロトコルモジュールが状態遷移を発生することを指示する模式図は図9の示す通りである。
【００７１】
ステップ804はステップ801の後で実行されてもよい。
【００７２】
本発明の技術案はHRPDシステムからLTEシステム、又は他の非HRPD無線アクセス技術を採用するシステムにアイドルハンドオフする操作を明らかにし、効果的にエアインターフェースリソースとシステム処理能力との浪費を避け、HRPDシステムとLTEシステム又は他の無線アクセス技術を採用するシステムとの相互接続・相互通信の効率を向上させる。
【産業上の利用可能性】
【００７３】
本発明はHRPDシステムに基づくアイドルハンドオフ端末及び方法お提供し、端末がハンドオフエリアにあり、HRPDシステムから非HRPD無線アクセス技術システム(例えば、LTEシステム)へのアイドルハンドオフを行う時、ハンドオフした端末をトンネル状態に置かせ、且つ端末のHRPDのセッション情報を保留でき、このようにして、端末が再びHRPDシステムにハンドオフする時、改めてHRPDセッション交渉を行う必要がなくなり、効果的にエアインターフェースリソースとシステム処理能力との浪費を避け、HRPDシステムとLTEシステム又は他の無線アクセス技術を採用するシステムとの相互接続・相互通信の効率を向上させる。
【図１】
2013503519.tif 000003
【図２】
2013503519.tif 000004
【図３】
2013503519.tif 000005
【図４】
2013503519.tif 000006
【図５】
2013503519.tif 000007
【図６】
2013503519.tif 000008
【図７】
2013503519.tif 000009
【図８】
2013503519.tif 000010
【図９】
2013503519.tif 000011
【図１０】
2013503519.tif 000012
【手続補正書】
【提出日】平成24年2月27日(2012.2.27)
【手続補正１】
【補正対象書類名】特許請求の範囲
【補正対象項目名】全文
【補正方法】変更
【補正の内容】
【特許請求の範囲】
【請求項１】
高速パケットデータ(HRPD)システムに基づくアイドルハンドオフ方法であって、端末がHRPDシステムから非HRPD無線アクセス技術システムにハンドオフする時、前記端末のHRPDプロトコルスタックが非トンネル状態からトンネル状態に遷移することを含む高速パケットデータ(HRPD)システムに基づくアイドルハンドオフ方法。
【請求項２】
前記HRPDプロトコルスタックは無線アクセス技術間のアイドル状態プロトコルモジュール及び無線アクセス技術間のルーティングアップデートプロトコルモジュールのうちの1種又は多種を含む請求項1に記載の方法。
【請求項３】
前記HRPDプロトコルスタックが非トンネル状態からトンネル状態に遷移することは、
前記HRPDプロトコルスタックが無線アクセス技術間のアイドル状態プロトコルモジュールを含む時、前記無線アクセス技術間のアイドル状態プロトコルモジュールがモニタリング状態又はスリープ状態からトンネル状態に遷移し、
前記HRPDプロトコルスタックが無線アクセス技術間のルーティングアップデートプロトコルモジュールを含む時、前記無線アクセス技術間のルーティングアップデートプロトコルモジュールがアイドル状態からトンネル状態に遷移することである請求項2に記載の方法。
【請求項４】
前記HRPDプロトコルスタックは無線アクセス技術間のオーバーヘッド・メッセージプロトコルモジュールを含み、
前記HRPDプロトコルスタックが非トンネル状態からトンネル状態に遷移することは、前記HRPDプロトコルスタックが前記無線アクセス技術間のオーバーヘッド・メッセージプロトコルモジュールを含む時、前記無線アクセス技術間のオーバーヘッド・メッセージプロトコルモジュールがアクティブ状態又は非アクティブ状態からトンネルアクティブ状態に遷移することである請求項1又は3に記載の方法。
【請求項５】
前記端末はHRPDセッション情報を保留することをさらに含む請求項1に記載の方法。
【請求項６】
前記端末はアクセスネットワークにセッション保持アクティブメッセージを送信し、且つローカルでタイマーを設置し、前記端末が前記セッション保持アクティブメッセージを送信する時、タイマーを起動し、
設定時間になってもアクセスネットワークの返す応答メッセージを受信していないと、HRPDセッション情報をクリアし、且つ前記HRPDプロトコルスタックを初期化することをさらに含む請求項1に記載の方法。
【請求項７】
前記HRPDプロトコルスタックは制御チャンネル媒体アクセス制御プロトコルモジュールをさらに含み、
前記HRPDプロトコルスタックが無線アクセス技術間のアイドル状態プロトコルモジュールを含む時、前記無線アクセス技術間のアイドル状態プロトコルモジュールがトンネル状態に遷移した後、前記方法は、
制御チャンネル媒体アクセス制御プロトコルモジュールに非アクティブ命令を送信し、
前記制御チャンネル媒体アクセス制御プロトコルモジュールが前記非アクティブ命令を受信した後、アクティブ状態から非アクティブ状態に遷移することをさらに含む請求項2に記載の方法。
【請求項８】
前記HRPDプロトコルスタックはアクセスチャンネル媒体アクセス制御プロトコルモジュールをさらに含み、
前記HRPDプロトコルスタックが無線アクセス技術間のルーティングアップデートプロトコルモジュールを含む時、前記無線アクセス技術間のルーティングアップデートプロトコルモジュールがトンネル状態に遷移した後、前記方法は、
アクセスチャンネル媒体アクセス制御プロトコルモジュールに非アクティブ命令を送信し、
前記アクセスチャンネル媒体アクセス制御プロトコルモジュールが前記非アクティブ命令を受信した後、アクティブ状態から非アクティブ状態に遷移することをさらに含む請求項2に記載の方法。
【請求項９】
前記端末は、トンネルイネーブルパラメータをトンネルを使用する状態として設置し、オーバーヘッドパラメータ更新標識を更新無しの状態として設置することをさらに含む請求項1に記載の方法。
【請求項１０】
端末はすべての隣接情報を除去し、且つ隣接セット検索ウィンドウパラメータ更新操作を実行し、プロパティオーバーライドメッセージに指定されるパラメータの使用を停止し、且つ同様なチャンネルパラメータセット管理プロパティ又は異なるチャンネルパラメータセット管理プロパティに指定されるパラメータ値を使用し始めることをさらに含む請求項1に記載の方法。
【請求項１１】
前記HRPDプロトコルスタックは、制御チャンネル媒体アクセス制御プロトコルモジュール及びオーバーヘッド・メッセージプロトコルモジュールをさらに含み、
前記無線アクセス技術間のアイドル状態プロトコルモジュールがトンネル状態に遷移した後、前記方法は、
制御チャンネル媒体アクセス制御プロトコルモジュールに非アクティブ命令を送信し、オーバーヘッド・メッセージプロトコルモジュールにトンネルアクティブ命令を送信し、
前記制御チャンネル媒体アクセス制御プロトコルモジュールが非アクティブ命令を受信した後、アクティブ状態から非アクティブ状態に遷移し、及び
前記オーバーヘッド・メッセージプロトコルモジュールがトンネルアクティブ命令を受信した後、アクティブ状態からトンネル状態に遷移することをさらに含む請求項2に記載の方法。
【請求項１２】
高速パケットデータ(HRPD)システムに基づくアイドルハンドオフ端末であって、制御モジュール及びHRPDプロトコルスタックを含み、
前記制御モジュールは、端末がHRPDシステムから非HRPD無線アクセス技術システムにハンドオフする時、前記HRPDプロトコルスタックにアイドルハンドオフ指令を送信するように設置され、
前記HRPDプロトコルスタックは、前記アイドルハンドオフ指令を受信した後、非トンネル状態からトンネル状態に遷移するように設置される高速パケットデータ(HRPD)システムに基づくアイドルハンドオフ端末。
【請求項１３】
前記HRPDプロトコルスタックは、無線アクセス技術間のアイドル状態プロトコルモジュール及び無線アクセス技術間のルーティングアップデートプロトコルモジュールのうちの1種又は多種を含む請求項12に記載の端末。
【請求項１４】
前記HRPDプロトコルスタックが無線アクセス技術間のアイドル状態プロトコルモジュールを含む時、前記無線アクセス技術間のアイドル状態プロトコルモジュールは、前記アイドルハンドオフ指令を受信した後、モニタリング状態又はスリープ状態からトンネル状態に遷移するように設置され、
前記HRPDプロトコルスタックが無線アクセス技術間のルーティングアップデートプロトコルモジュールを含む時、前記無線アクセス技術間のルーティングアップデートプロトコルモジュールは、前記アイドルハンドオフ指令を受信した後、アイドル状態からトンネル状態に遷移するように設置される請求項13に記載の端末。
【請求項１５】
前記HRPDプロトコルスタックは無線アクセス技術間のオーバーヘッド・メッセージプロトコルモジュールをさらに含み、
前記無線アクセス技術間のオーバーヘッド・メッセージプロトコルモジュールは、前記アイドルハンドオフ指令を受信した後、アクティブ状態又は非アクティブ状態からトンネルアクティブ状態に遷移するように設置される請求項12又は14に記載の端末。
【請求項１６】
前記端末はHRPDセッション管理モジュールをさらに含み、
前記制御モジュールはさらに、前記HRPDセッション管理モジュールにアイドルハンドオフ指令を送信するように設置され、
前記HRPDセッション管理モジュールは、前記アイドルハンドオフ指令を受信した後、HRPDのセッション情報を保留するように設置される請求項12に記載の端末。
【請求項１７】
前記HRPDセッション管理モジュールはさらに、
アクセスネットワークにセッション保持アクティブメッセージを送信し、及びローカルでタイマーを設置し、前記セッション保持アクティブメッセージを送信する時、タイマーを起動し、
設定時間になってもアクセスネットワークの返す応答メッセージを受信していない時、HRPDセッション情報をクリアし、且つ前記HRPDプロトコルスタックを初期化するように設置される請求項16に記載の端末。
【請求項１８】
前記HRPDプロトコルスタックは制御チャンネル媒体アクセス制御プロトコルモジュールをさらに含み、
前記無線アクセス技術間のアイドル状態プロトコルモジュールはさらに、トンネル状態に遷移した後、制御チャンネル媒体アクセス制御プロトコルモジュールに非アクティブ命令を送信するように設置され、
前記制御チャンネル媒体アクセス制御プロトコルモジュールは、非アクティブ命令を受信した後、アクティブ状態から非アクティブ状態に遷移するように設置される請求項13に記載の端末。
【請求項１９】
前記HRPDプロトコルスタックはアクセスチャンネル媒体アクセス制御プロトコルモジュールをさらに含み、
前記無線アクセス技術間のルーティングアップデートプロトコルモジュールはさらに、トンネル状態に遷移した後、アクセスチャンネル媒体アクセス制御プロトコルモジュールに非アクティブ命令を送信するように設置され、
前記アクセスチャンネル媒体アクセス制御プロトコルモジュールは、非アクティブ命令を受信した後、アクティブ状態から非アクティブ状態に遷移するように設置される請求項13に記載の端末。
【請求項２０】
前記制御モジュールはさらに、トンネルイネーブルパラメータを、トンネルを使用する状態に設置され、
前記無線アクセス技術間のオーバーヘッド・メッセージプロトコルモジュールはさらに、オーバーヘッドパラメータ更新標識を更新無しの状態に設置される請求項15に記載の端末。
【請求項２１】
前記無線アクセス技術間のルーティングアップデートプロトコルモジュールはさらに、トンネル状態に遷移した後、すべての隣接情報を除去し、且つ隣接セット検索ウィンドウパラメータ更新操作を実行し、プロパティオーバーライドメッセージに指定されるパラメータの使用を停止し、且つ同様なチャンネルパラメータセット管理プロパティ又は異なるチャンネルパラメータセット管理プロパティに指定されるパラメータ値を使用し始めるように設置される請求項13に記載の端末。
【請求項２２】
前記HRPDプロトコルスタックは制御チャンネル媒体アクセス制御プロトコルモジュール及びオーバーヘッド・メッセージプロトコルモジュールをさらに含み、
前記無線アクセス技術間のアイドル状態プロトコルモジュールはさらに、トンネル状態に遷移した後、制御チャンネル媒体アクセス制御プロトコルモジュールに非アクティブ命令を送信し、オーバーヘッド・メッセージプロトコルモジュールにトンネルアクティブ命令を送信するように設置され、
前記制御チャンネル媒体アクセス制御プロトコルモジュールは、非アクティブ命令を受信した後、アクティブ状態から非アクティブ状態に遷移するように設置され、
前記オーバーヘッド・メッセージプロトコルモジュールは、トンネルアクティブ命令を受信した後、アクティブ状態からトンネル状態に遷移するように設置される請求項14に記載の端末。
【手続補正２】
【補正対象書類名】図面
【補正対象項目名】図１
【補正方法】変更
【補正の内容】
【図１】
2013503519.tif 000013
【手続補正３】
【補正対象書類名】図面
【補正対象項目名】図５
【補正方法】変更
【補正の内容】
【図５】
2013503519.tif 000014
【手続補正４】
【補正対象書類名】図面
【補正対象項目名】図６
【補正方法】変更
【補正の内容】
【図６】
2013503519.tif 000015
【手続補正５】
【補正対象書類名】図面
【補正対象項目名】図７
【補正方法】変更
【補正の内容】
【図７】
2013503519.tif 000016
【手続補正６】
【補正対象書類名】明細書
【補正対象項目名】０００３
【補正方法】変更
【補正の内容】
【０００３】
高速パケットデータ(High Rate Packet Data，HRPD)-LTE相互運用に対する需要の1つはHRPDからLTEへのアクセス端末のアイドルハンドオフをサポートすることであり、HRPDとLTEシステムとの間の相互運用をサポートするために、HRPDシステムにおいて一連のプロトコル処理を定義したが、従来の実現において、アクセス端末をHRPDからLTEへアイドルハンドオフする際の具体的な操作を明確にしていなく、これらのプロトコル処理モジュールが正常に作動できなく、且つ効果的にHRPDとLTEとの相互運用をサポートできないことを引き起こす恐れがある。
【手続補正７】
【補正対象書類名】明細書
【補正対象項目名】００１０
【補正方法】変更
【補正の内容】
【００１０】
前記端末はアクセスネットワークにセッション保持アクティブメッセージを送信し、且つローカルでタイマーを設置し、前記端末が前記セッション保持アクティブメッセージを送信する時、タイマーを起動し、
設定時間になってもアクセスネットワークの返す応答メッセージを受信していない時、HRPDセッション情報をクリアし、且つ前記HRPDプロトコルスタックを初期化する。
【手続補正８】
【補正対象書類名】明細書
【補正対象項目名】００１２
【補正方法】変更
【補正の内容】
【００１２】
前記HRPDプロトコルスタックはアクセスチャンネル媒体アクセス制御プロトコルモジュールをさらに含み、
前記HRPDプロトコルスタックが無線アクセス技術間のルーティングアップデートプロトコルモジュールを含む時、前記無線アクセス技術間のルーティングアップデートプロトコルモジュールがトンネル状態に遷移した後、前記方法は、
アクセスチャンネル媒体アクセス制御プロトコルモジュールに非アクティブ命令を送信し、
前記アクセスチャンネル媒体アクセス制御プロトコルモジュールが前記非アクティブ命令を受信した後、アクティブ状態から非アクティブ状態に遷移することをさらに含む。
【手続補正９】
【補正対象書類名】明細書
【補正対象項目名】００２０
【補正方法】変更
【補正の内容】
【００２０】
前記端末はHRPD セッション管理モジュールをさらに含み、
前記制御モジュールはさらに、前記HRPDセッション管理モジュールにアイドルハンドオフ指令を送信するように設置され、
前記HRPD セッション管理モジュールは、前記アイドルハンドオフ指令を受信した後、HRPDのセッション情報を保留するように設置される。
【手続補正１０】
【補正対象書類名】明細書
【補正対象項目名】００２１
【補正方法】変更
【補正の内容】
【００２１】
前記HRPDセッション管理モジュールはさらに、
アクセスネットワークにセッション保持アクティブメッセージを送信し、及びローカルでタイマーを設置し、前記セッション保持アクティブメッセージを送信する時、タイマーを起動し、
設定時間になってもアクセスネットワークの返す応答メッセージを受信していない時、HRPDセッション情報をクリアし、且つ前記HRPDプロトコルスタックを初期化するように設置される。
【手続補正１１】
【補正対象書類名】明細書
【補正対象項目名】００２３
【補正方法】変更
【補正の内容】
【００２３】
前記HRPDプロトコルスタックはアクセスチャンネル媒体アクセス制御プロトコルモジュールをさらに含み、
前記無線アクセス技術間のルーティングアップデートプロトコルモジュールはさらに、トンネル状態に遷移した後、アクセスチャンネル媒体アクセス制御プロトコルモジュールに非アクティブ命令を送信するように設置され、
前記アクセスチャンネル媒体アクセス制御プロトコルモジュールは、非アクティブ命令を受信した後、アクティブ状態から非アクティブ状態に遷移するように設置される。
【手続補正１２】
【補正対象書類名】明細書
【補正対象項目名】００２９
【補正方法】変更
【補正の内容】
【００２９】
【図１】本発明の一実施例の端末の構成模式図
【図２】本発明の一実施例の端末がHRPDシステムから非HRPD無線アクセス技術システムにハンドオフする時の方法フローチャート図
【図３】本発明の一実施例におけるHRPDシステムのアクセス端末の無線アクセス技術間のアイドル状態プロトコルモジュールに基づく処理フローチャート図
【図４】本発明の一実施例におけるHRPDシステムのアクセス端末の無線アクセス技術間のルーティングアップデートプロトコルモジュールに基づく状態遷移図
【図５】本発明の一実施例におけるHRPDシステムのアクセス端末の無線アクセス技術間のオーバーヘッド・メッセージプロトコルモジュールに基づく状態遷移図
【図６】本発明の一実施例におけるHRPDシステムのアクセス端末のHRPDセッション管理モジュールに基づく処理フローチャート図
【図７】本発明の別の一実施例の端末の構成模式図
【図８】本発明の別の一実施例の端末がHRPDシステムから非HRPD無線アクセス技術システムにハンドオフする時の方法フローチャート図
【図９】本発明の別の一実施例のHRPDシステムのアクセス端末の無線アクセス技術間のアイドル状態プロトコルモジュールに基づく処理フローチャート図
【図１０】本発明の別の一実施例のHRPDシステムのアクセス端末の無線アクセス技術間のルーティングアップデートプロトコルモジュールに基づく状態遷移図
【手続補正１３】
【補正対象書類名】明細書
【補正対象項目名】００３２
【補正方法】変更
【補正の内容】
【００３２】
本実施例はHRPDシステムに基づくアイドルハンドオフ端末を提供し、図1の示すように、制御モジュール、HRPDプロトコルスタック及びHRPDセッション管理モジュールを含み、
HRPDプロトコルスタックは、無線アクセス技術間のアイドル状態プロトコルモジュール、無線アクセス技術間のルーティングアップデートプロトコルモジュール、無線アクセス技術間のオーバーヘッド・メッセージプロトコルモジュール、制御チャンネル媒体アクセス制御(MAC)プロトコルモジュール及びアクセスチャンネルMACプロトコルモジュールのうちの1種又は多種を含んでもよいが、それらには限らなく、
本発明において、無線アクセス技術間のアイドル状態プロトコルモジュールは無線アクセス技術間の相互運用をサポートするいずれのアイドル状態プロトコルモジュールでよく、無線アクセス技術間のルーティングアップデートプロトコルモジュールは無線アクセス技術間の相互運用をサポートするいずれのルーティングアップデートプロトコルモジュールでよく、無線アクセス技術間のオーバーヘッド・メッセージプロトコルモジュールは無線アクセス技術間の相互運用をサポートするいずれのオーバーヘッド・メッセージプロトコルモジュールでよい。
【手続補正１４】
【補正対象書類名】明細書
【補正対象項目名】００３６
【補正方法】変更
【補正の内容】
【００３６】
無線アクセス技術間のルーティングアップデートプロトコルモジュールはさらに、トンネル状態に遷移した後、アクセスチャンネル媒体アクセス制御プロトコルモジュールに非アクティブ命令を送信することに用いられ、
アクセスチャンネルMACプロトコルモジュールは、非アクティブ命令を受信した後、アクティブ状態から非アクティブ状態に遷移することに用いられる。
【手続補正１５】
【補正対象書類名】明細書
【補正対象項目名】００３９
【補正方法】変更
【補正の内容】
【００３９】
制御モジュールはさらに、HRPDセッション管理モジュールにアイドルハンドオフ指令を送信することに用いられる。
【手続補正１６】
【補正対象書類名】明細書
【補正対象項目名】００４０
【補正方法】変更
【補正の内容】
【００４０】
HRPDセッション管理モジュールは、アイドルハンドオフ指令を受信した後、HRPDのセッション情報を保留することに用いられる。
【手続補正１７】
【補正対象書類名】明細書
【補正対象項目名】００４１
【補正方法】変更
【補正の内容】
【００４１】
HRPDセッション管理モジュールはさらに、アクセスネットワークにセッション保持アクティブメッセージを送信し、及びローカルでタイマーを設置し、セッション保持アクティブメッセージを送信する時タイマーを起動することに用いられ、さらに、設定時間になってもアクセスネットワークの返す応答メッセージを受信していない時、HRPDセッション情報をクリアし、且つHRPDプロトコルスタックを初期化することに用いられる。
【手続補正１８】
【補正対象書類名】明細書
【補正対象項目名】００４７
【補正方法】変更
【補正の内容】
【００４７】
ステップ202：端末はHRPDのセッション情報を保留し、
さらに、端末はさらに、アクセスネットワークにセッション保持アクティブメッセージを送信し、且つローカルでタイマーを設置し、セッション保持アクティブメッセージを送信する時タイマーを起動し、設定時間になってもアクセスネットワークの返す応答メッセージを受信していない時、HRPDセッション情報をクリアし、且つプロトコルスタックを初期化することもできる。
【手続補正１９】
【補正対象書類名】明細書
【補正対象項目名】００４８
【補正方法】変更
【補正の内容】
【００４８】
図6の示すように、本発明端末のHRPDセッション管理モジュールはアクセスネットワークにHRPDセッション情報の保持を知らせるフローチャート図である。
【手続補正２０】
【補正対象書類名】明細書
【補正対象項目名】００５１
【補正方法】変更
【補正の内容】
【００５１】
ステップ205：無線アクセス技術間のルーティングアップデートプロトコルモジュールがトンネル状態に遷移した後、アクセスチャンネル媒体アクセス制御プロトコルモジュールに非アクティブ命令を送信し、アクセスチャンネルMACプロトコルモジュールが非アクティブ命令を受信した後、アクティブ状態から非アクティブ状態に遷移する。
【手続補正２１】
【補正対象書類名】明細書
【補正対象項目名】００５４
【補正方法】変更
【補正の内容】
【００５４】
本実施例はHRPDシステムに基づくアイドルハンドオフ端末を提供し、図7の示すように、制御モジュール、HRPDプロトコルスタック及びHRPDセッション管理モジュールを含む。
【手続補正２２】
【補正対象書類名】明細書
【補正対象項目名】００５８
【補正方法】変更
【補正の内容】
【００５８】
制御モジュールはさらに、HRPDセッション管理モジュールにアイドルハンドオフ指令を送信することに用いられ、
HRPDセッション管理モジュールは、アイドルハンドオフ指令を受信した後、HRPDのセッション情報を保留することに用いられる。
【手続補正２３】
【補正対象書類名】明細書
【補正対象項目名】００５９
【補正方法】変更
【補正の内容】
【００５９】
HRPDセッション管理モジュールはさらに、アクセスネットワークにセッション保持アクティブメッセージを送信し、及びローカルでタイマーを設置し、セッション保持アクティブメッセージを送信する時タイマーを起動することに用いられ、さらに、設定時間になってもアクセスネットワークの返す応答メッセージを受信してないと、HRPDセッション情報をクリアし、且つHRPDプロトコルスタックを初期化することに用いられる。
【手続補正２４】
【補正対象書類名】明細書
【補正対象項目名】００６５
【補正方法】変更
【補正の内容】
【００６５】
ステップ802：端末はHRPDのセッション情報を保留し、
それ以上に、端末はさらに、アクセスネットワークにセッション保持アクティブメッセージを送信し、且つローカルでタイマーを設置し、セッション保持アクティブメッセージを送信する時タイマーを起動し、設定時間になってもアクセスネットワークの返す応答メッセージを受信していない時、HRPDセッション情報をクリアし、且つプロトコルスタックを初期化することもできる。
【手続補正２５】
【補正対象書類名】明細書
【補正対象項目名】００６６
【補正方法】変更
【補正の内容】
【００６６】
本実施例において、端末のHRPDセッション管理モジュールがアクセスネットワークにHRPDセッション情報の保持を知らせるプロセスは図6に類似する。
【国際調査報告】
2013503519.tif 000017
2013503519.tif 000018
2013503519.tif 000019
2013503519.tif 000020
2013503519.tif 000021
2013503519.tif 000022